(57)【要約】【課題】深い凹凸感を有し、意匠性に富む壁出隅を構築することができる擬石と、この擬石を用いた壁出隅とを提供する。【解決手段】擬石Ａの前面１０及び第１木端面１１並びに擬石Ｂの前面２１は凹凸面となっており、これらの凹凸面の最凹部１０ｂと最凸部１０ｔとの高低差ΔＨは５〜５０ｍｍとなっている。第２，４木端面１２，１４には、第１木端面１１から擬石Ｂの厚みに相当する距離だけ離隔した位置に、指示線１７が設けられている。擬石Ａの後面１５のうち、第１木端面２１に沿う縁部領域は凹凸面１５ｅとなっている。躯体３０の角縁に擬石Ａの指示線１７を合わせるようにして擬石Ａを躯体３０に張り付け、擬石Ａの張り出した部分に突き合わせるようにして擬石Ｂを張り付ける。【選択図】  図１
2004324167.tif 000002
【特許請求の範囲】
【請求項１】
前面及び後面と、第１ないし第４の４面の木端面とを有し、該前面と第１木端面とが凹凸面となっている擬石において、
該凹凸面の最凸部と最凹部との高低差が５〜５０ｍｍであることを特徴とする擬石。
【請求項２】
請求項１において、該第１木端面に隣接する第２木端面及び第４木端面には、第１木端面から所定距離だけ離隔した位置に、出隅を挟んで隣接配置される隣接擬石の厚み相当位置を指示する指示線が設けられていることを特徴とする擬石。
【請求項３】
請求項１又は２において、該擬石の後面には、第１木端面から所定距離だけ離隔した位置に、出隅を挟んで隣接配置される隣接擬石の厚み相当位置を指示する指示線が設けられていることを特徴とする擬石。
【請求項４】
請求項１ないし３のいずれか１項において、該擬石の後面にあっては、該第１木端面に沿う縁部領域が凹凸面となっており、
この凹凸面の最凸部と最凹部との高低差が２〜５０ｍｍであることを特徴とする擬石。
【請求項５】
請求項４において、該第２木端面及び第４木端面にあっては、該第１木端面に沿う縁部領域が凹凸面となっており、
この凹凸面の最凸部と最凹部との高低差が２〜５０ｍｍであることを特徴とする擬石。
【請求項６】
擬石Ａと擬石Ｂとが出隅を挟んで配置され、擬石Ａの後面に擬石Ｂの木端面が対面している壁出隅において、
該擬石Ａが請求項１ないし５のいずれか１項に記載の擬石であり、前記第１木端面が出隅の角部に露出するよう配置されており、
擬石Ｂは、前面が凹凸面となっており、且つこの凹凸面の最凸部と最凹部との高低差が５〜５０ｍｍであることを特徴とする壁出隅。
【発明の詳細な説明】
【０００１】
【発明の属する技術分野】
本発明は、前面が凹凸面となっている擬石と、この擬石を用いた壁出隅に関するものである。
【０００２】
【従来の技術】
前面を凹凸面としたセメント成形品、珪酸カルシウム成形品等よりなる擬石が外装壁材に広く用いられている。この凹凸面を割り石面調あるいは組み積み調とすることにより、独得の凹凸趣に富んだ壁面が構築される。
【０００３】
従来の擬石としては、前面のみが凹凸面となっているものが多く、このような擬石を出隅に配置すると、平坦な木端面が露見してしまい、壁の意匠性が損なわれる。
【０００４】
特開平９−６０２４３号公報には、前面と１つの木端面とを凹凸面とした外壁出隅部材を用いて出隅を構成することが記載されている。出隅には、この凹凸木端面が露出するので、壁面の意匠性は良好である。
【０００５】
【特許文献１】
特開平９−６０２４３号公報
【０００６】
【発明が解決しようとする課題】
上記特開平９−６０２４３号公報の前面及び１つの木端面の凹凸面は、粗面程度のものであり、構築された壁面の凹凸感が乏しい。
【０００７】
本発明は、深い凹凸感を有し、意匠性に富む壁出隅を構築することができる擬石と、この擬石を用いた壁出隅とを提供することを目的とする。
【０００８】
【課題を解決するための手段】
本発明の擬石は、前面及び後面と、第１ないし第４の４面の木端面とを有し、該前面と第１木端面とが凹凸面となっている擬石において、該凹凸面の最凸部と最凹部との高低差が５〜５０ｍｍであることを特徴とするものである。
【０００９】
また、本発明の壁出隅は、擬石Ａと擬石Ｂとが出隅を挟んで配置され、擬石Ａの後面に擬石Ｂの木端面が対面している壁出隅において、該擬石Ａが本発明の擬石であり、前記第１木端面が出隅の角部に露出するよう配置されており、擬石Ｂは、前面が凹凸面となっており、且つこの凹凸面の最凸部と最凹部との高低差が５〜５０ｍｍであることを特徴とするものである。
【００１０】
かかる本発明の擬石は、前面及び第１木端面に深い凹凸が形成されているので、深い凹凸面感を有し、意匠性に富む出隅を構築することができる。
【００１１】
この擬石を用いて出隅を構築する場合には、擬石Ａは、出隅の角部に第１木端面が露出するように配置される。この擬石Ａの第１木端面側の後面に対し、擬石Ｂの木端面が突き合わせ状に配置され、平面視Ｌ形となるようにする。この擬石Ｂの凹凸面は、最凸部と最凹部との高低差が５〜５０ｍｍとなっている。これにより、擬石Ａ，Ｂ間の継目の両側がいずれも深い凹凸面となり、継目が自然なものとなり、意匠性に優れた出隅となる。
【００１２】
この擬石Ａ，Ｂを用いて出隅を構築する場合、擬石Ａは第１木端面側が建築物躯体の角部から擬石Ｂの厚み分だけ張り出す（はみ出す）ように該躯体にモルタル、接着剤等によって張り付けられる。
【００１３】
この擬石の位置決めを容易に行うことができるようにするために、擬石Ａの第２木端面及び第４木端面に、第１木端面から擬石Ｂの厚み分だけ離隔した位置に指示線を設けておくのが好ましい。擬石Ａの張り付けに際し、この指示線を躯体の角線に合わせることにより、正確且つ容易に、擬石厚み相当分だけ擬石Ａの第１木端面側を躯体角部から張り出させることができる。
【００１４】
擬石Ａの後面にも同様の指示線を設けてもよい。
【００１５】
擬石Ａの第１木端面側の後面に擬石Ｂを突き合わせ状に配置して平面視Ｌ形とした場合、擬石Ａの後面のうち第１木端面に沿う縁部領域あるいは第２、第４木端面のうち第１木端面に沿う縁部領域が露見することがある。そこで、これらの縁部領域についても凹凸面とすることにより、出隅の意匠性を一段と優れたものとすることができる。この縁部領域の凹凸の程度は、好ましくは、その最凸部と最凹部との高低差が２〜５０ｍｍ程度である。
【００１６】
【発明の実施の形態】
以下、図面を参照して本発明の実施の形態について詳細に説明する。
【００１７】
図１は、実施の形態に係る擬石Ａ及び擬石Ｂの斜視図、図２（ａ）は図１の擬石Ａの正面図、図２（ｂ）は図２（ａ）のＢ−Ｂ線に沿う断面図、図３は図１の擬石Ａを後面側から見た斜視図、図４は図１の擬石Ａ及び擬石Ｂを躯体に取り付けて構築した壁出隅を示す斜視図、図５は図４のＩＶ−ＩＶ線に沿う断面図である。
【００１８】
図１及び図２に示す通り、擬石Ａは、前面１０及び後面１５と、第１木端面１１と、該第１木端面１１の上端及び下端に隣接する第２木端面１２及び第４木端面１４と、該第１木端面１１と反対側の第３木端面１３とを有する略直方体形状となっている。前面１０及び第１木端面１１は凹凸面となっている。図２（ｂ）に示す通り、この凹凸面となっている前面１０において、凹部のうちの最も深い最凹部１０ｂと、凸部のうちの最も高い最凸部１０ｔとの間の距離を高低差ΔＨとすると、この高低差ΔＨは５〜５０ｍｍ、好ましくは１０〜４０ｍｍ、特に好ましくは１５〜３５ｍｍとなっている。
【００１９】
第１木端面１１も、前面１０と同様に、凹凸面の最凹部と最凸部との間の高低差ΔＨは５〜５０ｍｍ、好ましくは１０〜４０ｍｍ、特に好ましくは１５〜３５ｍｍとなっている。
【００２０】
第２木端面１２及び第４木端面１４には、第１木端面１１から擬石Ｂの厚みに相当する距離だけ離隔した位置に、指示線１７が設けられている。この指示線１７は、図示よりも長くてもよく、また短くてもよい。
【００２１】
この指示線１７は、塗装、凹状の溝、凸状の突起等、目印となるものであれば任意であるが、擬石Ａの表面が汚れても指示線を認識することができ、且つ取り付け時や保管時に邪魔にならない点で、凹状の溝であることが好ましい。
【００２２】
図３に示す通り、擬石Ａの後面１５のうち、第３木端面１３側から前記指示線１７までの一帯には、裏足用ネット面１５ａが設けられている。この裏足用ネット面１５ａよりも第１木端面１１側は、平坦面１５ｂとなっている。但し、この平坦面１５ｂのうち、該第１木端面１１に沿う縁部領域は、凹凸面１５ｅとなっている。この凹凸面１５ｅの最凹部と最凸部との間の高低差ΔＨは２〜５０ｍｍ、好ましくは１０〜４０ｍｍ、特に好ましくは１５〜３５ｍｍである。この凹凸面１５ｅの幅は、好ましくは１０〜４０、特に好ましくは１５〜３５ｍｍである。
【００２３】
この凹凸面１５ｅと同様の幅及び凹凸程度の凹凸面が第２木端面１２及び第４木端面１４の第１木端面１１側の縁部領域に設けられている。
【００２４】
擬石Ｂは、図１に示す通り、前面２０及び後面２５と、第１木端面２１と、該該第１木端面２１の上端及び下端に隣接する第２木端面２２及び第４木端面２４と、該第１木端面２１と反対側の第３木端面２３とを有する略直方体形状となっており、前面２０が凹凸面となっている。この擬石Ｂの前面２０の最凹部と最凸部１０との間の高低差ΔＨは、擬石Ａの前面と同程度となっている。
【００２５】
擬石Ｂの第１ないし第４木端面２１〜２４は、平坦面となっている。図示は省略するが、擬石Ｂの裏面２５の全面は、裏足用ネット面となっている。
【００２６】
図５に示す通り、擬石Ｂの第１木端面２１のうち、前面２０に沿う縁部領域は、凹凸面２１ｅとなっている。この凹凸面２１ｅの高低差ΔＨ及び幅は、擬石Ａの凹凸面１５ｅと同程度となっている。
【００２７】
なお、この擬石Ａ，Ｂは、例えばセメントや珪酸カルシウム等の材料を成形型を用いて成形することにより製造することができる。上記のネット面は、成形時にネットを材料上面に押し付けることにより形成することができる。このネット面は、接着剤やモルタルなどの付着性を高めるネットの代りに不織布を押し付けて粗面を形成してもよい。
【００２８】
以下に、かかる構成を有する擬石Ａ及び擬石Ｂを躯体３０に取り付ける手順を説明する。
【００２９】
まず、躯体３０の壁面に、弾性接着剤３１を均一に塗り付ける。
【００３０】
次に、擬石Ａの後面１５のうち、裏足用ネット面１５ａを該弾性接着剤３１上に張り付ける。この際、第２木端面１２の指示線１７を躯体３０の角縁に合致させるようにして、擬石Ａが張り付けられる。
【００３１】
次に、躯体３０の擬石Ａを張り付けた壁面と直交する壁面に対して、弾性接着剤３１を介して擬石Ｂの後面２５を張り付ける。施工対象領域全体に擬石Ａ，Ｂを張り付けた後、目地間隙に目地モルタル３２を充填する。
【００３２】
このようにして、擬石Ａと擬石Ｂとからなる壁出隅が構築される。
【００３３】
これらの擬石Ａ，Ｂは、前面１０，２０及び第１木端面１１に深い凹凸が形成されており、深い凹凸面感を有し、意匠性に富んでいる。
【００３４】
上記実施の形態に係る壁出隅は、擬石Ｂの前面２０が擬石Ａの前面１０及び第１木端面１１と同程度の高低差ΔＨとなっているため、擬石Ａ，Ｂの継目が自然なものとなり、意匠性に優れた壁出隅となる。また、擬石Ａの木端面１２又は１４に設けられた指示線１７を躯体３０の角縁に合わせることにより、正確且つ容易に、擬石Ｂの厚み相当分だけ擬石Ａの第１木端面１１側を躯体角部から張り出させることができる。なお、擬石Ａの後面１５の裏足用ネット面１５ａと平坦面１５ｂとの境界を躯体３０の角線に合わせるようにしても、正確且つ容易に、擬石Ａの第１木端面１１側を躯体角部から張り出させることができる。
【００３５】
上記実施の形態にあっては、図５に示す通り、擬石Ａの後面１５の平坦面１５ｂに擬石Ｂの第１木端面２１を対面配置する際に、擬石Ａの後面１５のうち第１木端面２１に沿う縁部領域が露見する場合があるが、この場合であっても、該縁部領域は凹凸面１５ｅとなっているため、壁出隅の意匠性が一段と優れたものとなっている。なお、この凹凸面１５ｅは、第２木端面１２及び第４木端面１４のうち第１木端面１１に沿う縁部領域にも設けられているため、該第２木端面１２及び第４木端面１４の縁部付近の意匠性も良好である。
【００３６】
上記実施の形態では、擬石Ａの後面１５の一部を裏足用ネット面１５ａとし、該裏足用ネット面１５ａと平坦面１５ｂとの境界を指示線としたが、裏足用ネット面１５ａを設けることなく、指示線として塗装による線、凹状の溝、凸状の突起等を設けてもよい。
【００３７】
上記実施の形態では、擬石Ａ，Ｂの第２木端面１２，２２は平坦面となっているが、図６，７に示す通り、第２木端面１２，２２を凹凸面とした擬石Ａ’，Ｂ’としてもよい。この擬石Ａ’，Ｂ’を手摺りなどの壁面の最上部に用いた場合、該最上部も凹凸面となる。
【００３８】
上記実施の形態では弾性接着剤によって擬石を張り付けているが、モルタルで張り付けてもよい。
【００３９】
上記擬石Ａ，Ｂの表面模様は模式的なものであり、本発明はこれに限定されるものではない。本発明の擬石表面模様の一例として、組み積み調の凹凸面を有した擬石Ａ’’を図８に示す。
【００４０】
【発明の効果】
以上の通り、本発明によると、深い凹凸感を有し、意匠性に富む壁出隅を構築することができる擬石と、この擬石を用いた壁出隅が提供される。
【図面の簡単な説明】
【図１】実施の形態に係る擬石Ａ及び擬石Ｂの斜視図である。
【図２】（ａ）図は図１の擬石Ａの正面図である。（ｂ）図は図２（ａ）のＢ−Ｂ線に沿う断面図である。
【図３】図１の擬石Ａを後面側から見た斜視図である。
【図４】図１の擬石Ａ及び擬石Ｂを躯体に取り付けて構築した壁出隅を示す斜視図である。
【図５】図４のＩＶ−ＩＶ線に沿う断面図である。
【図６】別の実施の形態に係る擬石Ａ’及び擬石Ｂ’の斜視図である。
【図７】図６の擬石Ａ’の正面図である。
【図８】擬石Ａ’’の斜視図である。
【符号の説明】
Ａ，Ａ’，Ｂ，Ｂ’  擬石
１０，２０  前面
１０ｂ  最凹部
１０ｔ  最凸部
ΔＨ  高低差
１１，２１  第１木端面
１２，２２  第２木端面
１３，２３  第３木端面
１４，２４  第４木端面
１５，２５  後面
１５ａ  裏足用ネット面
１５ｂ  平坦面
１５ｅ  凹凸面
１７  指示線
２１ｅ  凹凸面
３０  躯体
３１  張り付けモルタル又は弾性接着剤
【図１】
2004324167.tif 000003
【図２】
2004324167.tif 000004
【図３】
2004324167.tif 000005
【図４】
2004324167.tif 000006
【図５】
2004324167.tif 000007
【図６】
2004324167.tif 000008
【図７】
2004324167.tif 000009
【図８】
2004324167.tif 000010